(57)【要約】【課題】本発明は、安全性並びに汎用性の高い電源装置及びアダプタ電源を共用した電子機器を提供することを課題とする。【解決手段】ＡＣアダプタ本体１は、無線タグ情報読取スイッチ１７がオン操作されると、無線タグトランスポンダ５に読み取り電波を照射して、無線タグトランスポンダ５から定格電圧と定格電力を示すタグ情報を取得し、タグ情報が示す定格電力が自己（ＡＣアダプタ本体１）の電力容量を超過しているか否かを判別する。タグ情報が示す定格電力が自己の電力容量を超過していなければ、タグ情報が示す定格電圧に一致するよう直流出力電圧を調整し、その出力状態を表示部１２〜１５に表示する。【選択図】    図１
2005151772.tif 000002
【特許請求の範囲】
【請求項１】
定格電圧を異にする複数種の機器を対象に、任意の機器に動作用の電力を供給する電源装置であって、
前記機器に対応して設けられた無線タグトランスポンダからタグ情報を読み取る無線タグ情報読み取り手段と、
前記機器への電力供給に際して、前記無線タグ情報読み取り手段から、前記電力を供給する機器に対応して設けられた無線タグトランスポンダのタグ情報を取得する情報取得処理手段と、
前記情報取得処理手段で取得したタグ情報をもとに前記電力を供給する機器の定格電圧および定格電力を判別する判別処理手段と、
前記判別処理手段が判別した定格電圧および定格電力に従い出力電圧を調整し電力を供給制御する電力供給制御手段と
を具備したことを特徴とする電源装置。
【請求項２】
前記情報取得処理手段は、操作スイッチを有し、前記操作スイッチが操作されたとき、前記無線タグ情報読み取り手段から前記電力を供給する機器に対応して設けられた無線タグトランスポンダのタグ情報を取得する請求項１記載の電源装置。
【請求項３】
前記情報取得処理手段は、所定の時間間隔で前記無線タグ情報読み取り手段から前記電力を供給する機器に対応して設けられた無線タグトランスポンダのタグ情報を取得する請求項１記載の電源装置。
【請求項４】
前記電力供給制御手段は、前記判別処理手段で判別した定格電力が供給可能な電力範囲にあるか否かを判定し、供給可能な電力範囲にあるとき、前記判別処理手段で判別した定格電圧に従い出力電圧を調整し電力を供給制御する請求項１記載の電源装置。
【請求項５】
機器本体とＡＣアダプタとを具備した電子機器に於いて、
前記機器本体には、
前記ＡＣアダプタより供給される直流電源を入力する外部電源入力端子と、
前記機器本体の定格電圧および定格電力を示すタグ情報を記録した無線タグトランスポンダと
を具備し、
前記ＡＣアダプタには、
外部交流電源を入力し当該外部交流電源をもとに機器動作用の直流電源を生成し前記機器の外部電源入力端子に供給する電源回路と、
前記無線タグトランスポンダからタグ情報を読み取り、当該タグ情報から前記機器本体の定格電圧および定格電力を判別する処理手段と、
前記処理手段で判別した定格電力が前記電源回路で供給可能な電力許容範囲にあるか否かを判断し、許容範囲にあるとき、前記処理手段で判別した定格電圧に従い前記電源回路より出力される直流電源の出力電圧を調整する制御手段と
を具備したことを特徴とする電子機器。
【請求項６】
前記ＡＣアダプタに於いて、
前記処理手段は、定格電圧を異にする複数種の機器各々に設けられた無線タグトランスポンダに読み取り電波を照射して、前記各無線タグトランスポンダから前記各機器のタグ情報を読み取り、当該各タグ情報から前記機器各々の定格電圧および定格電力を判別する手段を有し、
前記電源回路は、外部交流電源を入力し当該外部交流電源をもとに前記各機器の動作用直流電源を個別に生成し、当該直流電源を個別に前記各機器の前記外部電源入力端子に供給する回路を具備し、
前記制御手段は、前記各機器毎に、前記処理手段で判別した定格電力が前記電源回路より供給可能な電力許容範囲にあるか否かを判断し、許容範囲にあるとき、前記処理手段で判別した定格電圧に従い該当機器に供給する直流電源の出力電圧を調整する手段を具備する請求項５記載の電子機器。
【請求項７】
前記無線タグトランスポンダには、該当する前記機器本体の状態を示す情報を保持する書き換え可能な情報保持手段を具備し、
前記処理手段は、前記無線タグトランスポンダから前記情報保持手段に保持された情報を読み取り、該当する前記機器本体の状態を判断する手段を有し、前記制御手段は、前記処理手段で判断した機器本体の状態に従い電源を出力制御する手段を具備する請求項５記載の電子機器。
【発明の詳細な説明】
【技術分野】
【０００１】
本発明は、複数種の機器がＡＣアダプタを共用する際に適用して好適な電源装置および電子機器に関する。
【背景技術】
【０００２】
ＰＣ（Personal Computer）、ＰＤＡ（Personal Digital Assistant）、ポータブルＤＶＤ、モバイルテレビジョン、携帯電話、デジタルカメラ等の各種携帯型電子機器に於いては、その多くがＡＣアダプタ電源を使用可能にしている。
【０００３】
従来のＡＣアダプタの交流入力側はＡＣ１００ボルトから２４０ボルト、周波数は５０Ｈｚ、６０Ｈｚ共用でほぼ標準化されているものの、直流出力側は、情報機器の機種ごとに形状、定格電圧、定格電力が異なり全く標準化が図られていない。このため、複数種の機器を携行先等で使用する場合、その各使用機器に固有の複数種のＡＣアダプタを持ち運ばなくてはならず、持ち運びの際に重量が嵩み、また、正しく接続するために少なからぬ気を使っていた。
【０００４】
一方、情報機器のメーカーにとっては、自社製の他の情報機器のみならず、他社の情報機器用のＡＣアダプタの接続ケーブルの誤挿入により機器が破壊しないように、コネクタの形状を変えたり、注意書をするなどして細心の注意を払う必要があった。また一個のＡＣアダプタからは一台の情報機器しか接続できず、例えば同じＰＣを一台はインターネツト用、一台は社内ＬＡＮ用に使え分けるような場合でも、ＡＣアダプタが２個必要であった。
【０００５】
これらの問題を解決するために多種の情報機器間で共用化する技術もあった。たとえば、ＡＣアダプタに手動の調整ツマミを設けて情報機器の定格に合わせて出力電圧を調整する方法がある。
【０００６】
しかしながらこの手段は調整そのものが複雑で、かつ高電圧のまま調整し忘れて他の情報機器に接続すると、破壊につながったりしてユーザの利便性を損ない、かつ危険性を伴うことから殆ど実用化されていない。他の例では、情報機器とＡＣアダプタをバスで接続して、情報機器から情報機器内のマイクロプロセッサを利用して定格電圧情報を送り、それに合わせて出力電圧を調整する方法がある。この方法ではＡＣアダプタを接続して定格を調査して電圧を調整する前に、既にマイクロプロセッサが動作していることが条件となっており、ＡＣアダプタを共用化する目的に対して論理的に矛盾が生じていた。さらに他の例では、情報機器からスイッチにより定格電圧を表すデジタルコードをＡＣアダプタに送り、電圧を調整する方法があった。しかしながらこの方法はデジタルコード発生機能および接続インタフェース機構を情報機器に組み込む必要があり、他社情報機器を含めて標準化を図ることは極めて困難であった。また軽薄短小を競う携帯型情報機器に組み込むのにはスペースの問題があった。
【特許文献１】特開平５−１６８１４９号公報
【発明の開示】
【発明が解決しようとする課題】
【０００７】
上述したように従来では、ＡＣアダプタ電源の使用に於いて安全性を確保するために、複数種の機器それぞれに固有のアダプタ電源を用意しなければならないという問題があった。
【０００８】
本発明は上記実情に鑑みなされたもので、安全性並びに汎用性の高い電源装置及びアダプタ電源を共用した電子機器を提供することを目的とする。
【課題を解決するための手段】
【０００９】
本発明は、ＡＣアダプタ電源を用いる各機器に対応して、当該機器の定格電圧および定格電力を示すタグ情報を記録した無線タグトランスポンダを設け、上記各機器に動作用の直流電源を供給するＡＣアダプタに、上記無線タグトランスポンダからタグ情報を読み取り、当該タグ情報から該当機器の定格電圧および定格電力を判別する処理手段と、この処理手段で判別した定格電力が前記電源回路で供給可能な電力許容範囲にあるか否かを判断し、許容範囲にあるとき、前記処理手段で判別した定格電圧に従い前記電源回路より出力される直流電源の出力電圧を調整する制御手段とを設けて、定格電圧および定格電力を対象に少なくともそのいずれかを異にする複数種の機器に、それぞれ適正な動作用電源を供給できるようにしたことを特徴とする。
【発明の効果】
【００１０】
安全性並びに汎用性の高い電源装置及びアダプタ電源を共用した電子機器が提供できる。
【発明を実施するための最良の形態】
【００１１】
以下図面を参照して本発明の実施形態を説明する。
【００１２】
先ず、図１乃至図６と図１０を参照して本発明の第１実施形態を説明する。
【００１３】
図１は本発明の第１実施形態に於ける機器の基本構成を示す図であり、ＡＣアダプタ本体１と、ＡＣアダプタ本体１の出力電源により動作可能な電子機器本体（情報機器本体と称す）４とを備えて構成される。ＡＣアダプタ本体１には、室内等の外部ＡＣ電源に接続されるＡＣケーブル２、およびＡＣアダプタ本体１の出力電源を情報機器本体４に供給するための接続ケーブル３が設けられる。さらにＡＣアダプタ本体１には、直流電源出力コネクタ１１、後述する定格電圧および定格電力の判定結果を表示する表示部１２〜１６、および無線タグ情報読取スイッチ１７等が設けられる。
【００１４】
情報機器本体４には、上記接続ケーブル３に設けられた電源出力プラグが接続される外部電源入力端子（図示せず）が設けられるとともに、当該機器本体の定格電圧と定格電力がタグ情報として書き込まれた無線タグトランスポンダ５が設けられる。この無線タグトランスポンダ５は、例えば情報機器本体４の筐体に貼り付けて設けられ、若しくは情報機器本体４の近傍に設置して設けられる。
【００１５】
ＡＣアダプタ本体１に、ＡＣケーブル２を介して外部交流電源（例えばＡＣ１００Ｖ）が入力されると、無線タグ情報読取スイッチ１７の機能動作が可能になる。この無線タグ情報読取スイッチ１７をユーザがオン操作すると、読取電波が無線タグトランスポンダ５に照射され、内部に起電力が生じて内部回路の動作が開始され、タグ情報となる予め書き込まれた情報機器本体４の定格電圧および定格電力情報が無線電波によりＡＣアダプタ本体１に伝達される。ＡＣアダプタ本体１は、この無線タグトランスポンダ５から読み取ったタグ情報から定格電圧および定格電力を判別し、この情報機器本体４の定格電圧と定格電力に合わせた直流電圧を接続ケーブル３を介して情報機器本体４に送るように動作する。またその判別結果を表示部１２〜１５に表示する。このように構成したＡＣアダプタは、使用する情報機器に合わせて自動的に電圧を調整するため、１個で複数種類の情報機器に使用可能となり飛躍的に汎用性が高まる。本発明の実施形態を図２乃至図５および図８を用いてさらに詳細に説明する。
【００１６】
図２は上記実施形態によるＡＣアダプタ本体１の内部の構成を示すブロック図である。このＡＣアダプタ本体１は、ＡＣ入力部２１、交流直流変換機能部２２、電圧調整機能部２３、直流出力部２４、定格判別機能部２５、無線タグ情報読取機能部２６、送受信アンテナ２７等を有して構成される。尚、図中、２１ａ，２１ｂはＡＣ電源入力端、２４ｃ，２４ｄは直流電源出力コネクタ１１の直流電源出力端子、２６ａ，２６ｂ，２６ｃは無線タグ情報読取機能部２６で解読（デコード）した定格電圧情報、２６ｄは同じく定格電力情報、２２ａ，２２ｂ，２３ａ，２３ｂ，２４ａ，２４ｂ，２５ａ，２７ａはそれぞれインタフェースを示す。
【００１７】
図１に示すＡＣケーブル２によりＡＣアダプタ本体１のＡＣ電源入力端２１ａ、２１ｂに外部交流電源（ＡＣ１００Ｖ）が供給される。この交流電源電圧は、ノイズフィルタ、雷サージアレスタなどで構成されるＡＣ入力部２１を介し、さらにインタフェース２２ａ，２２ｂを介して交流直流変換機能部２２に入力される。ここでダイオードブリッジなどにより交流電圧が直流電圧に変換される。この直流電圧はインタフェース２３ａ，２３ｂを介して電圧調整機能部２３に供給される。電圧調整機能部２３は、例えば３端子レギュレータで構成され、その出力電圧が、定格判別機能部２５からインタフェース２５ａを介して送られる定格電圧情報２６ａ，２６ｂ，２６ｃおよび定格電力情報２６ｄにより、負荷となる情報機器本体４の電圧に調整される。この調整後の直流電圧はインタフェース２４ａ、２４ｂを介して直流出力部２４に送られる。直流出力部２４は主としてコンデンサで構成され、直流電圧に含まれるリップルノイズを吸収し、出力電圧を安定化させる。この直流出力部２４で平滑された直流電圧が直流電源出力コネクタ１１の直流電源出力端子２４ｃ，２４ｄより出力され、接続ケーブル３を介して情報機器本体４の外部電源入力端子に入力される。ここで上記電圧調整機能部２３、定格判別機能部２５、無線タグ情報読取機能部２６の各機能により、直流電源出力コネクタ１１より出力される直流電圧が負荷となる情報機器本体４の電圧に調整される。無線タグ情報読取スイッチ１７がオン操作されると無線タグ情報読取機能２６から、送受信アンテナ２７を介して、読取電波が無線タグトランスポンダ５に向けて発信される。この電波に応答して無線タグトランスポンダ５から情報機器本体４の定格電圧および定格電力情報がタグ情報として送信される。この無線タグトランスポンダ５から送信されたタグ情報がＡＣアダプタ本体１の送受信アンテナ２７により受信される。この送受信アンテナ２７に受信されたタグ情報はインタフェース２７ａを介して無線タグ情報読取機能部２６に送られる。無線タグ情報読取機能部２６は当該タグ情報を解読し、その解読結果の情報２６ａ，２６ｂ，２６ｃ，２６ｄを定格判別機能部２５に送出する。定格判別機能部２５は無線タグ情報読取機能部２６から受けた情報をもとに上記情報機器本体４の定格電圧と定格電力を判別し、その判別した定格電圧と定格電力に従う出力制御情報をインタフェース２５ａを介して電圧調整機能部２３に送出する。電圧調整機能部２３はインタフェース２５ａを介して定格判別機能部２５から受けた出力制御情報により、直流電源出力コネクタ１１の直流電源出力端子２４ｃ，２４ｄより出力する直流電圧を負荷となる情報機器本体４の定格電圧に一致するよう調整する。この際、定格判別機能部２５は、解読した定格電力が自己の供給電力内にあるか否かを判断し、情報機器本体４の定格電力が自己の供給電力内にあることを確認したとき、負荷となる情報機器本体４の定格電圧に従う直流電圧を直流出力部２４に出力する。解読した定格電力が自己の供給電力を超える場合は、直流出力部２４への供給電圧を０Ｖ（ゼロボルト）にして直流出力部２４への電力供給を停止する。
【００１８】
図３は図２に示す電圧調整機能２３部、直流出力部２４部、定格判別機能部２５、および表示部１２〜１５の一回路構成例を示す図である。尚、この図３に示す回路構成は機能を説明することを主眼としているため簡略化してあり、例えば保護回路、ノイズや温度などのマージン向上回路などを省略している。
【００１９】
図２に示す交流直流変換機能部２２からの直流電圧がインタフェース２３ａ，２３ｂを介して電圧調整機能部２３に送られる。電圧調整機能部２３はコンデンサＣ１によりリップル成分を取り除き３端子レギュレータ３ＴＲと抵抗Ｒｓ、Ｒ１〜Ｒ３、Ｒ５により電圧調整を行う。この電圧調整の仕組みは当該技術分野で幅広く知られており、発光ダイオードＬＥＤ１〜ＬＥＤ３およびトランジスタＴＲ１からＴＲ３の電圧降下を無視すれば、直流出力部２４の出力電圧は次の式で表される。
【００２０】
出力電圧＝Ｖｓｘ（１＋（Ｒ／Ｒｓ））  
ここに  Ｖｓは３ＴＲで決まる値、ＲはＲ１〜Ｒ３、Ｒ５の合成抵抗値。
【００２１】
１例を挙げると、Ｖｓを１．２５ボルト、Ｒｓを１００Ω、Ｒ１〜Ｒ３、Ｒ５を１，２００Ωとしたとき、トランジスタＴＲ１〜ＴＲ３のオン／オフの組み合わせによる直流出力部２４の電圧値は図１０に示す値になる。以上のようにトランジスタＴＲ１〜ＴＲ３のオン／オフを制御すれば、出力電圧を調整することができる。一方、トランジスタＴＲ１〜ＴＲ３のうち、導通したトランジスタに接続されている発光ダイオードＬＥＤ１〜ＬＥＤ３に電流が流れ発光する。この発光ダイオードＬＥＤ１〜ＬＥＤ３により表示部１２〜１４が構成される。
【００２２】
このように、定格電圧および定格電力を示すタグ情報を記録した無線タグトランスポンダ５を情報機器本体４に貼り付け、若しくは情報機器本体４の近くに設置して、無線タグ情報読取機能２６から読取電波を無線タグトランスポンダ５に向けて発信し、定格電圧および定格電力情報を示すタグ情報を読み込み、その定格電圧を判別して、その定格電圧に合うように電圧調整機能部２３により電圧を調整することで、ＡＣアダプタ本体１から情報機器本体４へ機器に適正な直流電力を供給することが可能となる。
【００２３】
次に同じく図３により定格電力判別と、定格電力の供給を制御する一例を説明する。情報機器本体４の無線タグトランスポンダ５より得られた定格電力情報が自己の電力容量を超える場合はトランジスタＴＲ４をオンさせる。このトランジスタＴＲ４に接続された抵抗Ｒ４を極めて小さくしておくことにより、電圧調整機能部２３からの出力電圧を著しく低下させることができる。このとき発光ダイオードＬＥＤ４が発光する。この発光ダイオードＬＥＤ４が図１に示す表示部１５を構成し、表示部１５が点灯することで定格容量超過をユーザに通知できる。このようにしてＡＣアダプタ本体１は負荷となる情報機器本体４の電力容量が自己の電力容量を超過する場合には定格電力を供給しないように制御する。
【００２４】
図４は図３に示す定格判別機能部２５のトランジスタＴＲ１〜ＴＲ４を制御する無線タグ情報読取機能部２６の詳細を示す図であり、制御部２６ｅと、定格電圧および定格電力情報出力機能部２６ｆとを備えて構成される。制御部２６ｅは１チップマイクロコンピュータを用いて実現される。尚、Ｇ１〜Ｇ４は定格電圧および定格電力情報出力機能部２６ｆに設けられた出力ゲート、２６ｇ，２７ａはインタフェース、２６ａ〜２６ｄは定格判別機能部２５とのインタフェースである。無線タグ情報読取スイッチ１７がオンになると、制御部２６ｅが動作して、インタフェース２７ａを介し読み取り電波を送受信アンテナ２７から無線タグトランスポンダ５に発信する。その結果、予め書き込まれている情報機器本体４の定格電圧および定格電力を示すタグ情報が電波により送られ、これを送受信アンテナ２７で受信しインタフェース２７ａを介して制御部２６ｅに伝達する。制御部２６ｅは定格電圧および定格電力情報を読み取り、インタフェース２６ｇを介して定格電圧および定格電力情報出力機能部２６ｆを制御する。制御結果は出力ゲートＧ１〜Ｇ４からインタフェース２６ａ〜２６ｄを介して定格判別機能２５に送られ、図３のトランジスタＴＲ１〜ＴＲ４をオン／オフ制御する。出力ゲートＧ１〜Ｇ３がトランジスタＴＲ１〜ＴＲ３に対応してそれぞれ定格電圧判別に利用される。また出力ゲートＧ４がトランジスタＴＲ４に対応して定格電力判別に利用される。
【００２５】
図５は無線タグトランスポンダ５の一構成例を示す図であり、アンテナ５ａ、制御部５ｂ、メモリ５ｃ等を有して構成される。尚、５ｄ，５ｅはイタフェースである。無線タグ情報読取機能部２６から読み取り電波が到来するとアンテナ５ａにより受信され、インタフェース５ｄを介して制御部５ｂに伝達される。制御部５ｂは、メモリ５ｃからインタフェース５ｅを介して、予め予め書き込まれている情報機器本体４の定格電圧および定格電力を示すタグ情報を読み取り、インタフェース５ｄ、アンテナ５ａを介して電波により図２に示す送受信アンテナ２７に送る。送受信アンテナ２７で受信されたタグ情報は無線タグ情報読取機能部２６に送られる。
【００２６】
図６は本発明の第１実施形態に於ける処理の手順を示すフローチャートである。ＡＣアダプタ本体１の電源が投入された後、無線タグ情報読取スイッチ１７をオン操作すると、図２に示す送受信アンテナ２７から図１に示す無線タグトランスポンダ５に読み取り電波が照射される（図６ステップＳ１）。この読み取り電波の照射に従うタグ情報の到来を監視し（図６ステップＳ２）、無線タグトランスポンダ５から定格電圧と定格電力を示すタグ情報が到来すると、そのタグ情報が示す定格電力が自己（ＡＣアダプタ本体１）の電力容量を超過しているか否かを判別する（図６ステップＳ３）。ここで、タグ情報が示す定格電力が自己の電力容量を超過していなければ（図６ステップＳ３  ＹＥＳ）、タグ情報が示す定格電圧に一致するよう直流出力電圧を調整し（図６ステップＳ４）、その出力状態を表示部１２〜１４により表示する（図６ステップＳ５）。また、タグ情報が示す定格電力が自己の電力容量を超過している際は、定格電力を供給せず、電力容量の超過を表示部１５に表示する（図６ステップＳ６）。さらにＡＣアダプタ本体１の電源を監視し（図６ステップＳ７）、電源が遮断されると読み取り電波を遮断し（図６ステップＳ８）処理を終了する。尚、定格電圧に従う電力供給時に於いて、一定間隔で無線タグトランスポンダ５に読み取り電波が照射し、定格電圧と定格電力を示すタグ情報を取得して、その都度、情報機器本体４の定格電圧と定格電力を確認することで、接続ケーブル３の電源出力プラグを他の機器に差し替えて使用する不具合に迅速に対処できる。
【００２７】
次に図７を参照して本発明の第２実施形態を説明する。
【００２８】
図７は一台のＡＣアダプタ本体を二種の情報機器本体４に使用できるようにした本発明の第２実施形態によるＡＣアダプタの構成例を示すブロック図である。尚、図７に於いて、上述した図２に示す第１実施形態の構成と同一部分には同一符号を付し、その説明を省略する。
【００２９】
図７に示すＡＣアダプタ本体７１は、図２に示した第１実施形態と同様のＡＣ入力部２１、交流直流変換機能部２２を有する。さらにＡＣアダプタ本体７１には、２組の電圧調整機能部２３−１，２３−２、直流出力部２４−１，２４−２、および定格判別機能部２５−１，２５−２を有する。無線タグ情報読取機能部２６Ｂは、２種の無線タグトランスポンダ５のタグ情報を読み取り、それぞれ個別に解読する機能をもつ。これら第２実施形態に於ける各部の構成並び動作は上述した第１実施形態から容易に理解できるので、ここではその詳細な説明を省略する。
【００３０】
この第２実施形態に於いては、ＡＣアダプタ本体７１の無線タグ情報読取機能部２６Ｂが、定格電圧、定格電力を異にする２つの情報機器本体に対して、その各情報機器本体に設けられた無線タグトランスポンダの定格電圧および定格電力を示すタグ情報を個別に取得して、その各タグ情報の解読結果情報を定格判別機能部２５−１，２５−２に送り、定格判別機能部２５−１，２５−２がそれぞれ個別に電圧調整機能部２３−１，２３−２を制御することで、２種の情報機器本体にそれぞれ適正電圧を供給制御できる。
【００３１】
次に図８および図９を参照して本発明の第３実施形態を説明する。この第３実施形態は、情報機器本体に対応して設けられる無線タグトランスポンダに、情報機器本体の状態を感知する状態監視機能と感知した情報機器本体の状態を示す情報を保持する状態保持機能とを有して、この情報機器本体の状態情報を上記各実施形態に於ける定格電圧および定格電力を示す情報とともにタグ情報としてＡＣアダプタ本体に送信し、ＡＣアダプタ本体側で情報機器本体の状態に応じた電圧供給制御を行うことを特徴とする。
【００３２】
図８は本発明の第３実施形態に於ける無線タグトランスポンダ５Ｂの一構成例を示す図であり、アンテナ５ａ、制御部５ｂ、およびメモリ５ｃ等を有し、さらに情報機器本体の状態を感知するセンサ５ｇを有して構成される。尚、５ｄ，５ｅ，５ｆはインタフェースである。
【００３３】
無線タグトランスポンダ５は例えば図１に示す情報機器本体４の筐体に貼着される。センサ５ｇは情報機器本体４の状態（例えば筐体温度、動作状態を示すクロックノイズ等）を感知する。制御部５ｂはセンサ５ｇの監視状態情報を一定の周期で読み込み、その情報をメモリ５ｃに書き込む。
【００３４】
無線タグ情報読取機能部２６から、送受信アンテナ２７を介して、読み取り電波が到来するとアンテナ５ａにより受信され、インタフェース５ｄを介して制御部５ｂに伝達される。
【００３５】
制御部５ｂは、無線タグ情報読取機能から読み取り電波が到来すると、その時点でメモリ５ｃに保持されている情報機器本体４の監視状態情報を、同じくメモリ５ｃに記憶されている定格電圧および定格電力を示す情報とともに読み出し、これらの情報をタグ情報としてアンテナ５ａを介しＡＣアダプタ本体１に送信する。
【００３６】
この際の情報機器本体４の状態情報としては、例えば情報機器本体４の筐体表面温度、情報機器本体４の電源のオン／オフの状態などがある。筐体温度が異常高温になった場合にはＡＣアダプタ本体１の電力供給を強制的に遮断する等の機器管理制御に応用することができる。情報機器本体４の電源がオンからオフになった場合は、その状態（例えば表示部、ＣＰＵ等の特定クロックの停止）を感知し、ＡＣアダプタ本体１から定格電圧供給を停止することで、省エネ化を図ることができる。このときセンサ５ｇは、情報機器本体４の電源がオンで動作している場合と、オフになって停止した場合の放射電磁波の強弱（変化）を感知し、制御部５ｂがそのオン／オフ判定を行い判定結果の情報を監視状態情報としてメモリ５ｃに書き込む。
【００３７】
図９は上記第３実施形態によるＡＣアダプタ本体の処理手順を示すフローチャートであり、ステップＳ１〜Ｓ８の処理ルーチンは上述した図６に示す第１実施形態の処理ルーチンと同様であるので、ここではその説明を省略する。この図９に示す第３実施形態の処理では、上述した図６に示す第１実施形態の処理に、さらに情報機器本体４の状態監視処理（図９ステップＳ９，Ｓ１０，Ｓ１１）が加わっている。
【００３８】
ＡＣアダプタ本体から情報機器本体４に定格電圧を供給している状態で、無線タグトランスポンダ５Ｂから受信したタグ情報に含まれる情報機器本体４の監視状態情報から、例えば情報機器本体４の温度異常を検知した場合（図９ステップＳ９）、図１の表示部１６を用いて異常状態を表示し（図９ステップＳ１０）、情報機器本体４への定格電圧供給を停止する（図９ステップＳ１１）機器管理機能を実現している。
【００３９】
以上述べたように本発明の実施形態によれば、情報機器の定格電圧および定格電力をＡＣアダプタが調べ、それに適合するよう自らの電圧および電力を調整し出力することによってＡＣアダプタの汎用性を高めることができる。さらに一台のＡＣアダプタで定格の異なる複数の情報機器に使用可能なシステムを容易に構築できる。さらに既に販売しユーザの手元にある情報機器に無線タグトランスポンダを貼り付けまたは近傍に設置することで、本発明の実施形態に係るＡＣアダプタを利用できる。
【００４０】
尚、上記した実施形態では、ＡＣ電源を整流した後、電圧調整機能部２３が３端子レギュレータ３ＴＲにより出力電圧をコントロールしているが、例えば、小型小電力容量の電子機器への電源供給を行う電源装置に於いては、複数の二次電池セルを積層した蓄電池によるバッテリー電源を上述した無線タグトランスポンダ５のタグ情報をもとに、電池セル単位で電子スイッチ回路により切り替え、適正な定格電圧を負荷となる各種の電子機器に供給する構成も容易に実現可能である。
【図面の簡単な説明】
【００４１】
【図１】本発明の第１実施形態に係る電子機器の構成を示す図。
【図２】本発明の第１実施形態に係るＡＣアダプタ本体の構成を示すブロック図。
【図３】本発明の第１実施形態に係る電圧調整機能部、直流出力部、および定格判別機能部の回路構成を示す図。
【図４】本発明の第１実施形態に係る無線タグ情報読取機能部の構成を示すブロック図。
【図５】本発明の第１実施形態に係る無線タグトランスポンダの構成を示すブロック図。
【図６】本発明の第１実施形態に係るＡＣアダプタ本体の処理手順を示すフローチャート。
【図７】本発明の第２実施形態に係るＡＣアダプタ本体の構成を示すブロック図。
【図８】本発明の第３実施形態に係る無線タグトランスポンダの構成を示すブロック図。
【図９】本発明の第３実施形態に係るＡＣアダプタ本体の処理手順を示すフローチャート。
【図１０】本発明の第１実施形態に係る直流出力部からの定格電圧出力例を示す図。
【符号の説明】
【００４２】
１…ＡＣアダプタ本体、２…ＡＣケーブル、３…接続ケーブル、４…電子機器本体（情報機器本体）、５，５Ｂ…無線タグトランスポンダ、１１…直流電源出力コネクタ、１２，１３，１４，１５，１６…表示部、１７…無線タグ情報読取スイッチ、２１…ＡＣ入力部、２２…交流直流変換機能部、２３…電圧調整機能部、２４…直流出力部、２５…定格判別機能部、２６，２６Ｂ…無線タグ情報読取機能部、２７…送受信アンテナ。
【図１】
2005151772.tif 000003
【図２】
2005151772.tif 000004
【図３】
2005151772.tif 000005
【図４】
2005151772.tif 000006
【図５】
2005151772.tif 000007
【図６】
2005151772.tif 000008
【図７】
2005151772.tif 000009
【図８】
2005151772.tif 000010
【図９】
2005151772.tif 000011
【図１０】
2005151772.tif 000012